(57)【要約】    【課題】不使用時に突出せず、しかも取り出しおよび収納の際の操作性に優れたシャワーヘッド保持装置を提供する。    【解決手段】洗面化粧台や浴室の壁などに設置されるシャワーヘッド（２）の保持装置（１）を、洗面化粧台や浴室の壁などの内側に固設されるケーシング（３）と、シャワーヘッドの保持部（１６）を有すると共にケーシングに前後移動可能に摺合したスライダ（４）と、前記保持部に保持されたシャワーヘッドを洗面化粧台や浴室の壁などの外面から突出させる向きにスライダを付勢するばね手段（圧縮コイルばね１９）と、ばね手段の弾発力に抗してスライダを没入位置に保持するラッチ手段（１０）とを有するものとする。これにより、不使用時に洗面化粧台や浴室の壁などの外面から没入した収納位置に保持されたシャワーヘッドを、ばね手段の弾発力で突出させることができる。【選択図】図１
2006022533.tif 000002
【特許請求の範囲】
【請求項１】
洗面化粧台や浴室の壁などに設置されるシャワーヘッド保持装置であって、
前記洗面化粧台や浴室の壁などの内側に固設されるケーシングと、
前記シャワーヘッドの保持部を有すると共に前記ケーシングに前後移動可能に摺合したスライダと、
前記保持部に保持された前記シャワーヘッドを前記洗面化粧台や浴室の壁などの外面から突出させる向きに前記スライダを付勢するばね手段と、
該ばね手段の弾発力に抗して前記スライダを没入位置に保持するラッチ手段とを有することを特徴とするシャワーヘッド保持装置。
【請求項２】
前記ラッチ手段は、前記シャワーヘッドを押し込む操作によって前記スライダのロック状態とアンロック状態とを交互に繰り返す機構を有するものであることを特徴とする請求項１に記載のシャワーヘッド保持装置。
【請求項３】
前記スライダと前記シャワーヘッドの保持部とを別体とし且つこれらを互いねじ結合したことを特徴とする請求項１若しくは２に記載のシャワーヘッド保持装置。
【請求項４】
前記ばね手段は、圧縮コイルばねからなり、前記シャワーヘッドの保持部と並列配置されていることを特徴とする請求項１乃至３のいずれかに記載のシャワーヘッド保持装置。
【請求項５】
前記ケーシングと前記スライダとの間に、前記ばね手段による前記スライダの突出力を制限するダンパ手段を設けたことを特徴とする請求項１乃至４のいずれかに記載のシャワーヘッド保持装置。
【請求項６】
前記ダンパ手段は、前記スライダの上方における前記ケーシングとの間に設けられていることを特徴とする請求項５に記載のシャワーヘッド保持装置。
【発明の詳細な説明】
【技術分野】
【０００１】
本発明は、洗面化粧台や浴室の壁などに設置されるシャワーヘッド保持装置に関するものである。
【背景技術】
【０００２】
ハンドシャワーのシャワーヘッドは、洗面化粧台の流し台の上面や、浴室の壁面に保持されることが一般的である。そのため、シャワーを使用しない時にはシャワーヘッドが突起物となり、清掃の時などに邪魔になるばかりでなく、見た目にも乱雑な感じを与えていた。
【０００３】
このような不都合に対処するため、シャワーヘッドを収納する凹所を壁面に設け、凹所の開口を塞ぐ蓋の裏面にシャワーヘッドを保持するようにしたシャワー装置が、特許文献１に提案されている。
【特許文献１】実開平４−１２０６８４号公報
【発明の開示】
【発明が解決しようとする課題】
【０００４】
しかるに、この従来技術は、単に不使用時のシャワーヘッドを壁面に埋没させるに止まり、使用時には蓋の開閉操作が必要な上、ハンドシャワーとして使用する際には蓋からシャワーヘッドを取り外さねばならない等、使い勝手の面で十分な満足の得られるものではなかった。
【課題を解決するための手段】
【０００５】
このような課題を解決し、シャワーヘッドが不使用時に壁面などから突出せず、しかも取り出しおよび収納の際の操作性に優れたシャワーヘッド保持装置を提供するため、本発明の請求項１は、洗面化粧台や浴室の壁などに設置されるシャワーヘッド（２）の保持装置（１）を、洗面化粧台や浴室の壁などの内側に固設されるケーシング（３）と、シャワーヘッドの保持部（１６）を有すると共にケーシングに前後移動可能に摺合したスライダ（４）と、前記保持部に保持されたシャワーヘッドを洗面化粧台や浴室の壁などの外面から突出させる向きにスライダを付勢するばね手段（圧縮コイルばね１９）と、ばね手段の弾発力に抗してスライダを没入位置に保持するラッチ手段（１０）とを有することを特徴とするものとした。これにより、不使用時に洗面化粧台や浴室の壁などの外面から没入した収納位置に保持されたシャワーヘッドを、ばね手段の弾発力で突出させることができる。特に、前記ラッチ手段として、シャワーヘッドを押し込む操作によってスライダのロック状態とアンロック状態とを交互に繰り返す機構のものとしたり（請求項２）、スライダとシャワーヘッドの保持部とを別体とし且つこれらを互いねじ結合するものとしたり（請求項３）前記ばね手段を圧縮コイルばねとし、前記シャワーヘッドの保持部と並列配置するものとしたり（請求項４）、ばね手段によるスライダの突出力を制限するダンパ手段（８）をケーシングとスライダとの間に設けるようにしたりすると良い（請求項５）。またダンパ手段は、スライダの上方におけるケーシングとの間に設けることが好ましい（請求項６）。
【発明の効果】
【０００６】
このような本発明の請求項１の構成によれば、通常は突起物を無くして見栄えを良くした上で、使用時はポップアップ式にシャワーヘッドを突出させることができる。そしてその突出した部分をつかみ取って使用位置へ簡単に引き出すことができる。従って、外観の簡潔性と使用時の利便性とを高次元に両立する上に大きな効果を奏することができる。また請求項２の構成によれば、単にシャワーヘッドを押し込む操作のみでロック／アンロックが交互に繰り返されるので、ワンタッチ操作が可能となり、操作性の向上に寄与することができ、請求項３の構成によれば、シャワーヘッドの保持部のみを交換して複数のシャワーヘッドに対応することができるので、保持装置の本体を共通化して製品管理の簡略化に寄与することができ、請求項４の構成によれば、保持装置の軸方向寸法を極力小さくして設置スペースの最小化に寄与することができる。さらに請求項５の構成によれば、シャワーヘッドが突然に飛び出さずに突出動作の安定性が高められ、この場合、請求項６の構成とすれば、浸水し難くなるのでダンパ手段の機能を損なう虞を無くすことができる。
【発明を実施するための最良の形態】
【０００７】
以下に添付の図面を参照して本発明について詳細に説明する。
【０００８】
図１は、本発明に基づく保持装置１およびシャワーヘッド２の全体構成を示している。このシャワーヘッド保持装置１は、流し台自体あるいは流し台と一体的に結合されるキャビネットの前面など（または浴室の壁面）の適所に設けられた垂直面Ｓから没入する位置に設けられており、キャビネット等の固定体（図示せず）に固定されるケーシング３と、ケーシング３内に摺合したスライダ４とからなっている。そして保持装置１に装着されたシャワーヘッド２は、不使用時は垂直面Ｓから突出せず、壁面の簡潔化に寄与している。
【０００９】
図２〜５に示すように、ケーシング３は、概ね中空の箱形をなし、前面にシャワーヘッド２の挿入口５が形成され、下面にホース６の引出口７が形成され、上面に公知のオイル封入式回転ダンパ８（図２）が取り付けられ、左右の側面に前後方向のガイド溝９Ｌ・９Ｒ（図４）が形成されると共に、正面に向かって左側の側面にハートカムを応用した公知のスイングカム板式ラッチ機構１０が設けられている。このように、回転ダンパ８をケーシング３の上面に取り付けることにより、引き出されたシャワーヘッド２から保持装置１の前面に水が掛かった場合にも、水滴が回転ダンパ８に掛かり難くなるので、浸水によるダンパ機能の低下を招かずに済む。
【００１０】
ラッチ機構１０は、ケーシング３の左側の横壁にその後端を軸支され且つ捩りばね１１で反時計方向へ回動付勢されると共にカム溝１２が形成されたカム板１３と、スライダ４の側面に突設されたピン１４とからなり、カム溝１２とピン１４との係合により、プッシュロック／プッシュフリーのオルタネート式ワンタッチ操作によるロック／アンロック動作が得られるものである。
【００１１】
スライダ４は、シャワーヘッド２の概ね筒状をなす基端部１５の内周面と嵌合し、且つホース６を挿通する筒状をなす保持部１６を結合するために、その前面にねじ孔１７が形成されている。そしてその左右の側面には、ガイド溝９Ｌ・９Ｒに摺合する複数の凸部１８が形成され、また向かって左側には、スライダ４を突出方向へ付勢するための圧縮コイルばね１９の受容部２０が形成されている（図４）。そして受容部２０の前壁には、ケーシング３の前壁内面に弾接するクッション部材２１が装着され、受容部２０の上壁には、ケーシング３の上壁内面から突出した回転ダンパ８のピニオン２２が噛合するラック２３が形成されている（図３）。このように、圧縮コイルばね１９と保持部１６を含むスライダ４とを並列配置することにより、保持装置１の軸方向寸法を低減し、設置スペースの最小化を図っている。
【００１２】
ケーシング３の後面は開放しており、スライダ４を受容した後に、ケーシング３とは別部材で形成された蓋２４で塞がれるようになっている。この蓋２４には、圧縮コイルばね１９を保持するばる保持部２５が形成されている。またケーシング３と蓋２４とは、公知の合成樹脂製の箱体と同様に、互いに材料自体の弾性で係合する爪２６と突起２７とからなる係合手段をもって結合するようになっている。
【００１３】
次に本発明装置の使用要領について説明する。
【００１４】
不使用時は、図１に実線で示すように、シャワーヘッド２の頂面が、例えばキャビネットの前面等の垂直面Ｓと同一面となる位置でラッチ機構１０がロック状態となり、シャワーヘッド２の収納状態を保持している。
【００１５】
この状態でシャワーヘッド２の頂面を押し込むと、ラッチ機構１０がアンロック状態になるので、手を放すと、圧縮コイルばね１９の弾発力により、図１に想像線で示すように、スライダ４と共にシャワーヘッド２が自動的に前方へ押し出される。ここでスライダ４の押し出しストロークは、垂直面Ｓから突出した部分を手でつかんでシャワーヘッド２を引き出すのに十分な寸法に定めておけば良い。このようにして、格納位置にあるシャワーヘッド２を、所謂ワンタッチ操作でつかみ易い位置に自動的に突出させることができる。
【００１６】
化粧台の内側に垂下していたホース６と共にシャワーヘッド２を引き出すと、ホース引出口７に案内されてホース６が円滑に引き出される。
【００１７】
シャワーヘッド２を収納する際には、ホース６を落とし込みつつホース６を外囲した筒状をなすシャワーヘッド２の基端部１５を、スライダ４にねじ結合された保持部１６に嵌着し、さらに一杯に押し込むと、ラッチ機構１０がロック状態となり、圧縮コイルばね１９の弾発力に抗してシャワーヘッド２が収納位置に保持される。このようにして、所謂ワンタッチ操作でシャワーヘッド２を格納することができる。なお、シャワーヘッド２の基端部１５と嵌合する保持部１６は、スライダ４にねじ結合されているので、容易に交換可能である。これにより、保持装置１の本体を共通化し、製品管理の簡略化に寄与している。
【産業上の利用可能性】
【００１８】
本発明にかかるシャワーヘッド２の保持装置１は、洗面化粧台をはじめとして浴室用、キッチン用として有用である。
【図面の簡単な説明】
【００１９】
【図１】本発明装置の全体構成を一部切除して示す側面図である。
【図２】本発明装置の左側面図である。
【図３】図１中のIII−III線に沿ってケーシングのみを切断した断面図である。
【図４】図１中のIV−IV線に沿って全体を切断した断面図である。
【図５】本発明装置の分解斜視図である。
【符号の説明】
【００２０】
１  保持装置
２  シャワーヘッド
３  ケーシング
４  スライダ
８  回転ダンパ
１０  ラッチ機構
１５  基端部
１６  保持部
１７  ねじ孔
１９  圧縮コイルばね
【図１】
2006022533.tif 000003
【図２】
2006022533.tif 000004
【図３】
2006022533.tif 000005
【図４】
2006022533.tif 000006
【図５】
2006022533.tif 000007